(57)【要約】【課題】表示装置の大型化に伴う金型精度（寸法公差）の拡大、及び周辺温度環境によるキャビネットの熱膨張などが生じた場合であっても、メモリカード及びＰＣカードなどのカードがスロットに挿入できなくなることを防止する表示装置を提供する。【解決手段】外側から背面キャビネット３０に設けた開口部３１を覆うようにカバー５０を挿入する。カバー５０を挿入することによって、カバー５０の側縁部に設けたアーム部５４の爪部５５を、カード読取部４０に固定された金具４２の係合穴４３に係合させる。爪部５５と金具４２の係合穴４３との係合によって、カバー５０の背面キャビネット３０における取付位置が確定される。そして、カバー５０と金具４２とをビス５７によって勘合する。これにより、カバー５０はカード読取部４０に移動不可能に固定される。【選択図】図６
2007089118.tif 000002
【特許請求の範囲】
【請求項１】
前面キャビネット及び背面キャビネットによって形成される空間に表示モジュールが収容された表示装置において、
前記前面キャビネット又は前記背面キャビネットに設けられた開口部と、
前記空間の前記開口部に対応する位置に、カードを挿入するためのスロットを有するカード読取部と、
前記開口部を覆い、前記スロットに対応する領域の開閉が可能な蓋部と、
前記蓋部を前記カード読取部に固定するための固定手段と
を備えることを特徴とする表示装置。
【請求項２】
前記固定手段は、前記蓋部に設けられた爪部と、前記カード読取部に設けられ、前記爪部と係合する爪係合部とを有し、
前記爪部及び前記爪係合部を係合して、前記蓋部を前記カード読取部に固定するようにしてあること
を特徴とする請求項１に記載の表示装置。
【請求項３】
前記蓋部は、
前記領域が開口された枠体と、
該枠体に釣支された板体とを備え、
釣支軸を支点とする前記板体の回動によって前記領域が開閉するようにしてあること
を特徴とする請求項１又は請求項２に記載の表示装置。
【発明の詳細な説明】
【技術分野】
【０００１】
本発明は、前面キャビネット及び背面キャビネットによって形成される空間に表示モジュールが収容された表示装置に関する。
【背景技術】
【０００２】
近年、様々な表示装置が実用化されているが、表示装置の一種である液晶表示装置は、小型、薄型、低消費電力を特徴とし、近年ではその表示品位の向上により、従来のＣＲＴに替わるディスプレイとして普及しつつある（例えば特許文献１参照。）。
【０００３】
テレビジョンのような表示装置は、デジタルカメラで撮影した画像などを記憶したメモリカード（ＳＤ（Secure Digital）メモリカード）、メモリスティックなど）、ＰＣ（PCMCIA）カードなどの各種カードを読み取るためのカード読取部を備えているものが実用化されている。また、電話回線などを通じてインターネットに接続するなどの機能を備えた機器も実用化されている。このように、近年の表示装置は、デジタル家電と位置付けられ、様々な機能を備えたものが主流となるものと推定される。
【０００４】
従来の表示装置は、前面キャビネット及び背面キャビネットによって形成される空間に表示モジュールが収容された構成をなしている。その空間内には、メモリカードを読み取るためのカード読取部が設けられている。カード読取部１４０は、図７に示すように、カードを挿入するためのスロット１４１を有しており、このスロット１４１の位置に対応して、背面キャビネット１３０の適宜の位置に開口部１３１が設けられている。
【特許文献１】特開２００４−５３７４９号公報
【発明の開示】
【発明が解決しようとする課題】
【０００５】
ところで、上述したような従来の表示装置において、背面キャビネット１３０に設けられた開口部１３１をスロット１４１の位置に合致するように設計した場合、表示装置の大型化に伴う金型精度（寸法公差）の増大、及び周辺温度環境によるキャビネットの熱膨張などにより、図８に示すように、開口部１３１のスロット１４１に対する位置がずれ、開口部１３１とスロット１４１との位置関係が正確に揃わないという問題が生じてきた。したがって、スロット１４１が背面キャビネット１３０に隠れてしまい、カードを挿入することができなくなるという虞があった。
【０００６】
本発明は斯かる事情に鑑みてなされたものであり、表示装置の大型化に伴う金型精度の増大、及び周辺温度環境によるキャビネットの熱膨張などが生じた場合であっても、メモリカード及びＰＣカードなどのカードがカード読取部のスロットに挿入できなくなることを防止する表示装置の提供を目的とする。
【課題を解決するための手段】
【０００７】
本発明に係る表示装置は、前面キャビネット及び背面キャビネットによって形成される空間に表示モジュールが収容された表示装置において、前記前面キャビネット又は前記背面キャビネットに設けられた開口部と、前記空間の前記開口部に対応する位置に、カードを挿入するためのスロットを有するカード読取部と、前記開口部を覆い、前記スロットに対応する領域の開閉が可能な蓋部と、前記蓋部を前記カード読取部に固定するための固定手段とを備えることを特徴とする。
【０００８】
本発明にあっては、前面キャビネット又は背面キャビネットに開口部を設け、その開口部に対応する位置にカードを読み取るためのカード読取部を設ける。カード読取部には、カードを挿入するためのスロットが設けられており、スロットに対応する領域の開閉が可能な蓋部を、開口部を覆うように設ける。前面キャビネット及び背面キャビネットとは別体の蓋部がカード読取部に固定されることから、表示装置の大型化に伴う各キャビネットの金型精度の増大、及び周辺温度環境による各キャビネットの熱膨張などが生じた場合であっても、蓋部とカード読取部との位置が変化することはない。
【０００９】
本発明に係る表示装置は、前記固定手段が、前記蓋部に設けられた爪部と、前記カード読取部に設けられ、前記爪部と係合する爪係合部とを有し、前記爪部及び前記爪係合部を係合して、前記蓋部を前記カード読取部に固定するようにしてあることを特徴とする。
【００１０】
本発明にあっては、蓋部に設けた爪部を、カード読取部に設けられた爪係合部に係合させることにより、蓋部のキャビネットにおける取付位置が確定される。また、蓋部のカード読取部への固定作業が極めて簡単であり、作業効率を向上させることができる。
【００１１】
本発明に係る表示装置は、前記蓋部が、前記領域が開口された枠体と、該枠体に釣支された板体とを備え、釣支軸を支点とする前記板体の回動によって前記領域が開閉するようにしてあることを特徴とする。
【００１２】
本発明にあっては、スロット領域が開口された枠体と、枠体に釣支された板体とから蓋部を構成し、釣支軸を支点に板体を回動することによってスロット領域を開閉させる。これにより、例えば、板体がユーザによって下方向に引き下げることによってスロット領域が開状態となる。ユーザは、スロット領域を開状態とした後に、カードをスロットへと挿入したり、スロットに挿入されているカードを取り出すことができる。一方、板体がユーザによって上方向に引き上げることによってスロット領域を閉状態とすることができる。カードを挿入した後、及びカードを取り出した後は、スロット領域を閉状態として、前面キャビネット及び背面キャビネットによって形成された空間内を閉塞して、空間へのダストなどの侵入を防止することができる。
【発明の効果】
【００１３】
本発明によれば、前面キャビネット及び背面キャビネットとは別体の蓋部がカード読取部に固定されるので、表示装置の大型化に伴う各キャビネットの金型精度の増大、及び周辺温度環境による各キャビネットの熱膨張などが生じた場合であっても、蓋部とカード読取部との位置が変化することはない。
【００１４】
本発明によれば、蓋部に設けた爪部を、カード読取部に設けられた爪係合部に係合させるので、蓋部のカード読取部への固定作業が極めて簡単であり、作業効率を向上させることができる。
【００１５】
本発明によれば、スロット領域が開口された枠体と、枠体に釣支された板体とから蓋部を構成し、釣支軸を支点に板体を回動することによって極めて簡単にスロット領域を開閉させるので、カードをスロットへ挿入したり、スロットに挿入されているカードを取り出すときにだけ、スロット領域を開状態とし、カードを挿入した後、及びカードを取り出した後は、スロット領域を閉状態とすることができる。したがって、スロット領域を極力閉状態とさせ、前面キャビネット及び背面キャビネットによって形成された空間内へのダストなどの侵入を防止することができる等、優れた効果を奏する。
【発明を実施するための最良の形態】
【００１６】
以下、本発明をその実施の形態を示す図面に基づいて詳述する。
【００１７】
図１は本発明に係る表示装置の外観を示す前面側斜視図、図２は本発明に係る表示装置の外観を示す背面側斜視図である。図３は本発明に係る表示装置の要部を拡大表示した拡大図である。図４は本発明に係る表示装置におけるカード読取部を示す斜視図、図５は本発明に係る表示装置における蓋部を示す斜視図である。なお、図４は背面キャビネットから蓋部を取り外した状態を示す。
【００１８】
本発明に係る表示装置においては、表示モジュール１０が前面キャビネット２０及び背面キャビネット３０によって形成された空間内に収容されている。前面キャビネット２０には枠部２０ａが設けてあり、枠部２０ａを通じて画像表示が行なわれる。表示モジュール１０は、図示しない板材に固定されており、板材の中央下側にはスタンド６０が取り付けられている。スタンド６０は、その形状がブーメラン状であり、表示装置の重量を支持できるように高強度な金属で形成されている。
【００１９】
表示モジュール１０は、液晶パネル及び液晶パネルの背面側に設けられたバックライト装置などからなるモジュールであり、液晶パネル及びバックライト装置を動作させるの必要な制御部、チューナ部、液晶駆動ユニット、点灯回路ユニット、電源ユニットなどの各種のユニットが上述の板材に配置される。なお、表示装置を立てた状態での重量バランスを考慮して、上述した各種のユニットの配置位置が決められる。
【００２０】
背面キャビネット３０の中央上部には、図４に示すように、矩形状の開口部３１が設けられており、前面キャビネット２０及び背面キャビネット３０によって形成された空間の開口部３１に対応する位置には、カード読取部４０が上述の板材などに固定されて設けられている。カード読取部４０は、カードを挿入するためのスロット４１を有し、スロット４１に挿入されたカードに記憶されている情報を読み取る。カードとしては、ＳＤメモリカード、メモリスティックなどのメモリカードとするが、ＰＣカードなどのカード型インタフェイスであってもよい。
【００２１】
さらに、図３に示すように、背面キャビネット３０には、上述した開口部３１を外側から覆うことによって開口部３１を閉塞するとともに、カードをスロット４１に挿入できるように、スロット４１に対応する領域（スロット領域）を開閉することができるカバー５０が設けられている。
【００２２】
カバー５０は、スロット領域が開口された枠体５１と、枠体５１に釣支された板体５２とを備えており、釣支軸を支点に板体５２が回動できるようになしてある。ユーザによって板体５２が下方向に引き下げられることによってスロット領域が開状態となる。ユーザは、スロット領域を開状態とした後に、カードをスロット４１へと挿入したり、スロット４１に挿入されているカードを取り出す。
【００２３】
逆に、ユーザは、板体５２を引き上げることにより、スロット領域を閉状態とすることができる。例えば、カードを挿入した後、及びカードを取り出した後は、スロット領域を閉状態とする。これにより、前面キャビネット２０及び背面キャビネット３０によって形成された空間内が閉塞され、空間へのダストなどの侵入を防止することができる。このように、回転機構によってスロット領域を簡単に開閉することができる。なお、板体５２の表面には突出部５３が設けられており、ユーザは、この突出部５３を把持することにより、板体５２を引き下げたり、引き上げたりすることができる。
【００２４】
意匠性の観点から、カバー５０を前面キャビネット２０及び背面キャビネット３０と同一の素材とする。例えば、前面キャビネット２０、背面キャビネット３０及びカバー５０を合成樹脂製とすることにより、複雑な成形加工が容易となる。例えば、本例のように、カバー５０を曲面状に加工することによって美観を向上することができる。
【００２５】
カバー５０の内側側端部には、図５に示すように、一対の長方形板状のアーム部５４，５４が突設してあり、アーム部５４，５４の先端には爪部５５，５５が内向きに形成してある。また、カバー５０の前面側には、図３に示すように、一対の貫通穴５６，５６が設けられている。一方、カード読取部４０は、図４に示すように、金具４２に固定されており、金具４２の側端部には爪係合部としての係合穴４３，４３とビス穴４４，４４とが設けられている。カバー５０のアーム部５４に設けられた爪部５５と金具４２に設けられた係合穴４３とを係合するとともに、カバー５０に設けられた貫通穴５６を通じて金具４２に設けられたビス穴４４にビス５７を勘合することにより、カバー５０がカード読取部４０に固定されている。
【００２６】
図６は本発明に係る表示装置における蓋部の取付方法を説明するための図である。
先ず、カード読取部４０を表示モジュール（正確には表示モジュールが固定される板材）１０に固定した後に、前面キャビネット２０と背面キャビネット３０とを、表示モジュール１０を挟持した状態でビスなどによって勘合する。そして、カバー５０を外側から背面キャビネット３０の開口部３１を覆うように挿入する。
【００２７】
カバー５０を開口部３１に挿入することによって、カバー５０の側縁部に設けたアーム部５４の爪部５５を、カード読取部４０が固定された金具４２の係合穴４３に係合させる。爪部５５と係合穴４３との係合によって、カバー５０の背面キャビネット３０における取付位置が確定される。そして、カバー５０に設けられた貫通穴５６を通じて金具４２に設けられたビス穴４４にビス５７を勘合する。これにより、カバー５０はカード読取部４０に移動不可能に固定される。
【００２８】
以上のような構成により、背面キャビネット３０とは別体のカバー５０がカード読取部４０に固定されることから、表示装置の大型化に伴う金型精度の増大、及び周辺温度環境による背面キャビネット３０の熱膨張などが生じた場合であっても、カバー５０とカード読取部４０との位置が変化することはない。したがって、スロット４１が使えなくなるという虞は全くない。
【００２９】
また、爪部５５と金具４２の係合穴４３との係合、及びビス５７による勘合によって、カバー５０がカード読取部４０に移動不可能に固定されることから、カバー５０のカード読取部４０への固定作業が極めて簡単であり、作業効率を向上させることができる。
【００３０】
さらに、カバー５０に設けたアーム部５４に爪部５５を、金具４２に設けた係合穴４３に係合することから、アーム部５４及び金具４２の形状によって、カバー５０とカード読取部４０との位置関係を決定することができる。例えば、金具４２を変更することによって、カバー５０の位置をカード読取部４０から遠ざけたり、近づけたりすることができる。
【００３１】
なお、本実施の形態では、背面キャビネットの中央上部に開口部を設けた形態について説明したが、背面キャビネットの側部に設けるなど、開口部を設ける位置について限定されるものではなく、また、背面キャビネットではなく、前面キャビネットの適宜の位置に開口部を設けるようにしてもよい。
【図面の簡単な説明】
【００３２】
【図１】本発明に係る表示装置の外観を示す前面側斜視図である。
【図２】本発明に係る表示装置の外観を示す背面側斜視図である。
【図３】本発明に係る表示装置の要部を拡大表示した拡大図である。
【図４】本発明に係る表示装置におけるカード読取部を示す斜視図である。
【図５】本発明に係る表示装置における蓋部を示す斜視図である。
【図６】本発明に係る表示装置における蓋部の取付方法を説明するための図である。
【図７】従来の表示装置の要部を拡大表示した拡大図である。
【図８】従来の表示装置の問題点を説明するための図である。
【符号の説明】
【００３３】
１０  表示モジュール
２０  前面キャビネット
３０  背面キャビネット
３１  開口部
４０  カード読取部
４１  スロット
４２  金具
４３  係合穴
４４  ビス穴
５０  カバー
５１  枠体
５２  板体
５３  突出部
５４  アーム部
５５  爪部
５６  貫通穴
５７  ビス
６０  スタンド
【図１】
2007089118.tif 000003
【図２】
2007089118.tif 000004
【図３】
2007089118.tif 000005
【図４】
2007089118.tif 000006
【図５】
2007089118.tif 000007
【図６】
2007089118.tif 000008
【図７】
2007089118.tif 000009
【図８】
2007089118.tif 000010